【事件の表示】
　特許第３３２８２７１号「写真撮影装置，画像プリント装置，写真撮影方法ならびに画像プリント提供方法」の請求項１ないし２１に係る特許に対する特許異議の申立てについて、次のとおり決定する。
【結　論】
　訂正を認める。
　特許第３３２８２７１号の請求項１ないし２１に係る特許を取り消す。
【理　由】
第１　手続の経緯
　株式会社メイクソフトウェア及び赤松彰宏は平成１３年１０月４日に特願２００１−３０９０６３出願（優先権主張同年６月１５日）をし、同出願は特許第３３２８２７１号（請求項１〜請求項２１）として平成１４年７月１２日に設定登録された、本件特許はその特許である。特許異議申立人松村雄一は平成１５年３月１８日付けで、同じく弓場照志は同月１９日付けで、それぞれ請求項１〜請求項２１に係る特許に対して、これら特許を取り消すべきであるとの特許異議申立てを行った。特許権者赤松彰宏は、その持分を株式会社メイクソフトウェアに譲渡し、持分移転登録申請書は平成１５年５月９日付けで特許庁に提出され、移転登録の手続がされた。当審において特許異議申立ての審理を行い、平成１５年５月１９日付けで意見書又は訂正請求書提出の期間を指定して取消理由を通知したところ、特許権者からは平成１５年７月２８日付けで意見書及び訂正請求書が提出された。当審では、同年８月１１日付けで特許権者に対し審尋を行ったところ、特許権者からは同年９月２２日付けで回答書が提出された。当審では訂正請求を踏まえた上でさらに審理を進め、平成１５年１２月９日付けで意見書又は訂正請求書提出の期間を指定して再度の取消理由を通知したところ、特許権者からは意見書も訂正請求書も提出されなかった。
　
第２　訂正の許否の判断
１．訂正の内容
　平成１５年７月２８日付け訂正請求による訂正事項は次のとおりである。
［訂正事項１］請求項１記載の「ペン入力画像が入力されるペン入力部」、「撮影画像とペン入力画像を合成する画像合成手段」、「撮影された撮影画像を普通色で印刷媒体に記録する第１記録ヘッド」、「ペン入力画像をメタリック色で印刷媒体に印刷する第２記録ヘッド」、及び「ひとつのペン入力画像を普通色とメタリック色とで構成する」を、「上書き画像が入力されるペン入力部」、「撮影画像と上書き画像を合成する画像合成手段」、「撮影された撮影画像および上書き画像の普通色の部分を普通色で印刷媒体に記録する第１記録ヘッド」、「上書き画像のメタリック色の部分をメタリック色で印刷媒体に印刷する第２記録ヘッド」、及び「ひとつのペン入力するための画像を普通色の画像とメタリック色の画像とで構成する」とそれぞれ訂正する。
［訂正事項２］請求項１２記載の「ペン入力画像を入力するペン入力手段」、「第１画像やペン入力画像等の画像を表示する画像表示手段」、「第１画像およびペン入力画像を印刷媒体に印刷する印刷手段」、「第１画像を普通色で印刷媒体に記録する第１記録ヘッド」、「ペン入力画像をメタリック色で印刷媒体に印刷する第２記録ヘッド」、及び「ひとつのペン入力画像を普通色とメタリック色とで構成する」を、「上書き画像を入力するペン入力手段」、「第１画像や上書き画像等の画像を表示する画像表示手段」、「第１画像および上書き画像を印刷媒体に印刷する印刷手段」、「第１画像および上書き画像の普通色の部分を普通色で印刷媒体に記録する第１記録ヘッド」、「上書き画像のメタリック色の部分をメタリック色で印刷媒体に印刷する第２記録ヘッド」、及び「ひとつのペン入力するための画像を普通色の画像とメタリック色の画像とで構成する」とそれぞれ訂正する。
［訂正事項３］請求項１７記載の「ペン入力画像」を「上書き画像」と訂正する。
［訂正事項４］請求項２０記載の「ペン入力画像が入力されるペン入力ステップ」、「撮影画像とペン入力画像を合成する画像合成ステップ」、「撮影された撮影画像を普通色で印刷媒体に記録する第１記録工程」、「ペン入力画像をメタリック色で印刷媒体に印刷する第２記録工程」、及び「ひとつのペン入力画像を普通色とメタリック色とで構成する」を、「上書き画像が入力されるペン入力ステップ」、「撮影画像と上書き画像を合成する画像合成ステップ」、「撮影された撮影画像および上書き画像の普通色の部分を普通色で印刷媒体に記録する第１記録工程」、「上書き画像のメタリック色の部分をメタリック色で印刷媒体に印刷する第２記録工程」、及び「ひとつのペン入力するための画像を普通色の画像とメタリック色の画像とで構成する」とそれぞれ訂正する。
［訂正事項５］請求項２１記載の「ペン入力画像を入力する第２画像入力ステップ」、「第１画像やペン入力画像等の画像を表示する画像表示ステップ」、「第１画像およびペン入力画像を印刷媒体に印刷する印刷ステップ」、「第１画像を第１記録ヘッドにより普通色で印刷媒体に記録する第１記録工程」、「ペン入力画像を第２記録ヘッドによりメタリック色で印刷媒体に印刷する第２記録工程」、及び「ひとつのペン入力画像を普通色とメタリック色とで構成する」を、「上書き画像を入力する第２画像入力ステップ」、「第１画像や上書き画像等の画像を表示する画像表示ステップ」、「第１画像および上書き画像を印刷媒体に印刷する印刷ステップ」、「第１画像および上書き画像の普通色の部分を第１記録ヘッドにより普通色で印刷媒体に記録する第１記録工程」、「上書き画像のメタリック色の部分を第２記録ヘッドによりメタリック色で印刷媒体に印刷する第２記録工程」、及び「ひとつのペン入力するための画像を普通色の画像とメタリック色の画像とで構成する」とそれぞれ訂正する。
［訂正事項６］明細書の段落【０００９】記載の「ペン入力画像が入力されるペン入力部」、「撮影画像とペン入力画像を合成する画像合成手段」、「撮影された撮影画像を普通色で印刷媒体に記録する第１記録ヘッド」、「ペン入力画像をメタリック色で印刷媒体に印刷する第２記録ヘッド」、及び「ひとつのペン入力画像を普通色とメタリック色とで構成する」を、「上書き画像が入力されるペン入力部」、「撮影画像と上書き画像を合成する画像合成手段」、「撮影された撮影画像および上書き画像の普通色の部分を普通色で印刷媒体に記録する第１記録ヘッド」、「上書き画像のメタリック色の部分をメタリック色で印刷媒体に印刷する第２記録ヘッド」、及び「ひとつのペン入力するための画像を普通色の画像とメタリック色の画像とで構成する」とそれぞれ訂正する。
［訂正事項７］明細書の段落【００２３】記載の「ペン入力画像を入力するペン入力手段」、「第１画像やペン入力画像等の画像を表示する画像表示手段」、「第１画像およびペン入力画像を印刷媒体に印刷する印刷手段」、「第１画像を普通色で印刷媒体に記録する第１記録ヘッド」、「ペン入力画像をメタリック色で印刷媒体に印刷する第２記録ヘッド」、及び「ひとつのペン入力画像を普通色とメタリック色とで構成する」を、「上書き画像を入力するペン入力手段」、「第１画像や上書き画像等の画像を表示する画像表示手段」、「第１画像および上書き画像を印刷媒体に印刷する印刷手段」、「第１画像および上書き画像の普通色の部分を普通色で印刷媒体に記録する第１記録ヘッド」、「上書き画像のメタリック色の部分をメタリック色で印刷媒体に印刷する第２記録ヘッド」、及び「ひとつのペン入力するための画像を普通色の画像とメタリック色の画像とで構成する」とそれぞれ訂正する。
［訂正事項８］明細書の段落【００２５】記載の「ペン入力画像」を「上書き画像」と訂正する。
［訂正事項９］明細書の段落【００２８】記載の「ペン入力画像が入力されるペン入力ステップ」、「撮影画像とペン入力画像を合成する画像合成ステップ」、「撮影された撮影画像を普通色で印刷媒体に記録する第１記録工程」、「ペン入力画像をメタリック色で印刷媒体に印刷する第２記録工程」、及び「ひとつのペン入力画像を普通色とメタリック色とで構成する」を、「上書き画像が入力されるペン入力ステップ」、「撮影画像と上書き画像を合成する画像合成ステップ」、「撮影された撮影画像および上書き画像の普通色の部分を普通色で印刷媒体に記録する第１記録工程」、「上書き画像のメタリック色の部分をメタリック色で印刷媒体に印刷する第２記録工程」、及び「ひとつのペン入力するための画像を普通色の画像とメタリック色の画像とで構成する」とそれぞれ訂正する。
［訂正事項１０］明細書の段落【００２９】記載の「ペン入力画像を入力する第２画像入力ステップ」、「第１画像やペン入力画像等の画像を表示する画像表示ステップ」、「第１画像およびペン入力画像を印刷媒体に印刷する印刷ステップ」、「第１画像を第１記録ヘッドにより普通色で印刷媒体に記録する第１記録工程」、「ペン入力画像を第２記録ヘッドによりメタリック色で印刷媒体に印刷する第２記録工程」、及び「ひとつのペン入力画像を普通色とメタリック色とで構成する」を、「上書き画像を入力する第２画像入力ステップ」、「第１画像や上書き画像等の画像を表示する画像表示ステップ」、「第１画像および上書き画像を印刷媒体に印刷する印刷ステップ」、「第１画像および上書き画像の普通色の部分を第１記録ヘッドにより普通色で印刷媒体に記録する第１記録工程」、「上書き画像のメタリック色の部分を第２記録ヘッドによりメタリック色で印刷媒体に印刷する第２記録工程」、及び「ひとつのペン入力するための画像を普通色の画像とメタリック色の画像とで構成する」とそれぞれ訂正する。
［訂正事項１１］明細書の段落【００６０】、段落【００６２】、段落【００６４】（２箇所）、段落【００６５】（２箇所）、段落【００６６】、段落【００７７】（２箇所）、段落【００７８】（２箇所）、段落【００８１】（３箇所）及び段落【００９１】（２箇所）記載の「ペン入力画像」をすべて「上書き画像」と訂正する。
［訂正事項１２］明細書の段落【００６７】記載の「ペン入力画像」を「ペン入力するための画像」と訂正する。
［訂正事項１３］明細書の段落【００６４】の「画像生成装置３９で生成された」との記載及び【図面の簡単な説明】【符号の説明】欄の「３９　　画像生成装置」との記載を削除する。
　
２．訂正事項についての判断
　まず、訂正事項１について検討する。訂正前の「ひとつのペン入力画像を普通色とメタリック色とで構成する」との記載は、同記載のみからは「ひとつの画像を普通色用の第１記録ヘッド及びメタリック色用の第２記録ヘッドで共に印刷する」との意味にも解される。しかし、訂正前の同記載についての発明の詳細な説明が「ペン入力画像ひとつを普通色の画像Ｃ１とメタリック色の画像Ｃ２とで構成するようにすることもできる。一例として、ひとつのスタンプ画像が、中心部を形成する普通色の画像Ｃ１と、縁取り部を形成するメタリック色の画像Ｃ２とから構成させることがあげられる。」（段落【００６７】）とあること、及びスタンプ画像には既に色属性が備わっていることが技術常識であることを考慮すれば、訂正前の「普通色とメタリック色とで構成」とは「普通色の画像とメタリック色の画像とで構成」との意味であることが明らかである。そうであれば、訂正前の「ひとつのペン入力画像」とはペン入力（複数回の入力操作でもよい）によって得られた画像ではなく、既に普通色とメタリック色それぞれの色属性を備えた画像の集まりであって、１回の入力操作によって入力される画像であることが明らかである。「ひとつのペン入力するための画像」と訂正することはこのことを明確にするものである。
　上記事項を含め、訂正事項１はすべて、明りょうでない記載の釈明を目的とするものと認める。特許権者は、「撮影された撮影画像を普通色で印刷媒体に記録する第１記録ヘッド」を「撮影された撮影画像および上書き画像の普通色の部分を普通色で印刷媒体に記録する第１記録ヘッド」と訂正することが特許請求の範囲の減縮を目的とした訂正であると主張するが、「ひとつのペン入力するための画像を普通色の画像とメタリック色の画像とで構成する」以上、上書き画像には普通色の部分とメタリック色の部分があることは明らかであり、そのうち普通色の部分を第１記録ヘッドで記録しないことなど想定できない。したがって、この訂正は特許請求の範囲を減縮するものではない。
　訂正事項２〜訂正事項１２は、訂正事項１と同趣旨の訂正であるから、これら訂正事項も明りょうでない記載の釈明を目的とするものと認める。
　訂正事項１３については、「画像生成装置３９」は明細書の段落【００６４】にしか記載されておらず、図面にも符番３９で示されるものは図示されていない。また、段落【００６４】から「画像生成装置３９で生成された」との記載を削除しても、構文上理解困難になるわけではない。したがって、訂正前の「画像生成装置３９」に関する記載は誤記であり、訂正事項１３はこの誤記を訂正することも目的とするものと認める。
　また、訂正事項１〜訂正事項１３が、願書に添付した明細書・図面に記載の範囲内でされたこと、及びこれら訂正事項が実質上特許請求の範囲を拡張・変更するものでないことは明らかである。
　
３．訂正の許否の判断の結論
　以上のとおりであるから、本件訂正は、平成１５年改正前特許法１２０条の４第２項並びに同条３項で準用する同法１２６条２項及び３項の規定に適合するから、本件訂正を認める。
　
第３　特許異議申立についての当審の判断
　平成１５年１２月９日付けの取消理由は次のようなものである。
　請求項５，１３に記載は明確でないから、これら請求項に係る特許、及びこれら請求項を引用する請求項６，１１，１４〜１９に係る特許は特許法３６条６項２号に規定する要件を満たしていない特許出願に対してされたものである。また、請求項１〜請求項２１に係る特許は、特許法２９条２項の規定に違反してされたものある。
　「第１」で述べたように、特許権者はこの取消理由に対しては何ら意見を述べておらず、妥当な取消理由であることは明らかである。
　
第４　むすび
　以上のとおりであるから、請求項６，１１，１４〜１９に係る特許は特許法３６条６項２号に規定する要件を満たしていない特許出願に対してされたものであるから、平成１５年改正前特許法１１３条４号の規定により取り消されなければならず、請求項１〜請求項２１に係る特許は特許法２９条２項の規定に違反してされたものあるから同条２号の規定により取り消されなければならない。
　よって、結論のとおり決定する。
【異議決定日】
平成１６年３月１７日（２００４．３．１７）
【訂正の要旨】
審決（決定）の【理由】欄参照。
（５４）【発明の名称】
写真撮影装置，画像プリント装置，写真撮影方法ならびに画像プリント提供方法
（５７）【特許請求の範囲】
　【請求項１】　被写体の写真を撮影して販売する写真撮影装置であって、被写体を撮影して撮影画像を電気的な画像信号にするカメラと、上記撮影画像に対して合成される
上書き画像
上書き画像
および上書き画像の普通色の部分
上書き画像のメタリック色の部分
するための
の画像
の画像
　【請求項２】　上記第１記録ヘッドが、染料インクが展着された染料インクフィルムの上記染料インクを印刷媒体に付着させるものである請求項１記載の写真撮影装置。
　【請求項３】　上記第２記録ヘッドが、メタリック系顔料，ラメ系顔料，金属膜等からなる顔料インクが展着された顔料インクフィルムの上記顔料インクを印刷媒体に付着させるものである請求項１または２記載の写真撮影装置。
　【請求項４】　上記顔料インクフィルムが上記メタリック系顔料，ラメ系顔料，金属膜の展着層の上に着色層を存在させたものである請求項３記載の写真撮影装置。
　【請求項５】　上記第２記録ヘッドによる印刷の際に、顔料インクが印刷媒体上においてまばらになったり余ったりして密着するよう印刷媒体の送り速度と顔料インクフィルムの送り速度を変えるように制御する制御手段を備えている請求項１〜４のいずれか一項に記載の写真撮影装置。
　【請求項６】　顔料インクが印刷媒体上においてまばらになって密着するよう、印刷媒体の送り速度が顔料インクフィルムの送り速度よりも速くなるよう制御する請求項５記載の写真撮影装置。
　【請求項７】　第１記録ヘッドで染料インクが付着された印刷媒体に、第２記録ヘッドで顔料インクを付着させるようになっている請求項３記載の写真撮影装置。
　【請求項８】　上記染料インクフィルムに、メタリック系顔料，ラメ系顔料，金属膜等からなる顔料インクの密着性を向上させるためのコーティングが設けられている請求項７記載の写真撮影装置。
　【請求項９】　第２記録ヘッドで顔料インクが付着された印刷媒体に、第１記録ヘッドで染料インクを付着させるようになっている請求項３記載の写真撮影装置。
　【請求項１０】　上記顔料インクフィルムが上記メタリック系顔料，ラメ系顔料，金属膜の展着層の上に受容層を存在させたものであり、第２記録ヘッドで顔料インクが付着された印刷媒体に、第１記録ヘッドで染料インクを付着させるようになっている請求項３記載の写真撮影装置。
　【請求項１１】　第１記録ヘッドと第２記録ヘッドを同じタイプの記録ヘッドとして第１記録ヘッドに用いるインクフィルムと第２記録ヘッドに用いるインクフィルムを交換して印刷可能とした請求項１〜１０のいずれか一項に記載の写真撮影装置。
　【請求項１２】　第１画像の画像信号に係る第１画像データを入力する第１画像データ入力部と、上記第１画像に合成される
上書き画像
上書き画像
上書き画像
および上書き画像の普通色の部分
上書き画像のメタリック色の部分
するための
の画像
の画像
　【請求項１３】　上記第２記録ヘッドによる印刷の際に、顔料インクが印刷媒体上においてまばらになったり余ったりして密着するよう印刷媒体の送り速度と顔料インクフィルムの送り速度を変えるように制御する制御手段を備えている請求項１２記載の画像プリント装置。
　【請求項１４】　顔料インクが印刷媒体上においてまばらになって密着するよう、印刷媒体の送り速度が顔料インクフィルムの送り速度よりも速くなるよう制御する請求項１３記載の画像プリント装置。
　【請求項１５】　第１記録ヘッドで染料インクが付着された印刷媒体に、第２記録ヘッドで顔料インクを付着させるようになっており、上記染料インクフィルムに、メタリック系顔料，ラメ系顔料，金属膜等からなる顔料インクの密着性を向上させるためのコーティングが設けられている請求項１２〜１４のいずれか一項に記載の画像プリント装置。
　【請求項１６】　第１記録ヘッドと第２記録ヘッドを同じタイプの記録ヘッドとして第１記録ヘッドに用いるインクフィルムと第２記録ヘッドに用いるインクフィルムを交換して印刷可能とした請求項１２〜１５のいずれか一項に記載の画像プリント装置。
　【請求項１７】　
上書き画像
　【請求項１８】　複数の印刷手段を備えている請求項１２〜１７のいずれか一項に記載の画像プリント装置。
　【請求項１９】　複数の画像表示手段を備えている請求項１２〜１８のいずれか一項に記載の画像プリント装置。
　【請求項２０】　写真撮影装置により被写体の写真を撮影して販売する写真撮影方法であって、被写体を撮影して撮影画像を電気的な画像信号にする撮影ステップと、上記撮影画像に対して合成される
上書き画像
上書き画像
および上書き画像の普通色の部分
上書き画像のメタリック色の部分
するための
の画像
の画像
　【請求項２１】　第１画像の画像信号に係る第１画像データを入力する第１画像データ入力ステップと、上記第１画像に合成される
上書き画像
上書き画像
上書き画像
および上書き画像の普通色の部分
上書き画像のメタリック色の部分
するための
の画像
の画像
【発明の詳細な説明】
　【０００１】
　【発明の属する技術分野】
　本発明は、２種類の異なる画像を印刷しうるプリンタ装置に関するものである。また、本発明は、ゲームセンター等に設置され、硬貨等が投入されて被写体を撮影し、シール，カード，紙類，フィルム等にプリントアウトする際に用いる写真撮影装置，画像プリント装置，写真撮影方法ならびに画像プリント提供方法に関するものである。
　【０００２】
　【従来の技術】
　近年、ゲームセンター等において、写真を撮影してシールプリント等にする写真撮影装置が数多く設置されている。このような写真撮影装置としては、一般に、図１０に示すようなものが用いられている。このものは、本体５２の内部に、略４５°の角度をもってハーフミラー５３が設けられている。このハーフミラー５３の奥に、被写体を撮影するカメラ５５が設けられ、ハーフミラー５３の下方には、上記カメラ５５で撮影された画像を表示するモニタ５６が設けられている。図において５１はコントローラ、５７は写真プリント５８を印刷するプリンタである。
　【０００３】
　上記写真撮影装置では、ハーフミラー５３を透してカメラ５５で撮影された画像がモニタ５６に表示され、このモニタ５６に表示された画像がハーフミラー５３に反射して被写体５４によって確認できるようになっている。そして、被写体５４は、モニタ５６に映った自分の姿を確認しながら所望のポーズをとり、好みのところでコントローラ５１を操作して静止画を撮影することが行なわれる。そして、この静止画は、適当なフレームや前景の画像と合成されて写真プリント５８として印刷される。
　【０００４】
　【発明が解決しようとする課題】
　ところが、最近は、写真撮影装置利用人口の増加とともに、そのニーズも多様化している。そこで、これらのニーズに応えるため、被写体の画像に合成されるフレームや前景として各種の趣向を凝らしたものも数多く提供されているが、単にフレームと顔写真とを合成するだけの画一的なものではもう満足されなくなってきている。
　【０００５】
　そこで、本発明者は、被写体が撮影された写真にさらに上書き画像を印刷することができる写真撮影装置として、特許第３０８６２２２号に開示された写真撮影装置を考案した。
　【０００６】
　この写真撮影装置は、カメラで撮影した被写体の画像を写真として出力する第１プリンタと、上記第１プリンタから出力された写真に、さらに上書き画像を印刷する第２プリンタとを備えたものである。このようにすることにより、上記写真撮影装置では、カメラで撮影された被写体の写真に多様な上書き画像を印刷でき、利用者は、多様な写真を楽しむことができる。
　【０００７】
　しかしながら、上記写真撮影装置では、第１プリンタと第２プリンタとの２台のプリンタを有していることから、装置自体が高価となるうえ、筐体内に２台のプリンタの収容場所が必要で、筐体自体を大きくせざるをえない。また、２台のプリンタを直列に接続して第１プリンタで印刷されて排出された印刷媒体を第２プリンタに給紙して第２プリンタで印刷する必要があることから、複雑な給紙機構が必要で給紙ミスも生じやすく、装置が停止したり、２台のプリンタで印刷した画像の印刷位置がずれて印刷不良が生じたりしやすいという問題がある。
　【０００８】
　本発明は、このような事情に鑑みなされたもので、２種類の異なる画像を印刷しうる写真撮影装置，画像プリント装置，写真撮影方法ならびに画像プリント提供方法の提供を目的とする。
　【０００９】
　【課題を解決するための手段】
　上記の目的を達成するため、本発明の写真撮影装置は、被写体の写真を撮影して販売する写真撮影装置であって、被写体を撮影して撮影画像を電気的な画像信号にするカメラと、上記撮影画像に対して合成される
上書き画像
上書き画像
および上書き画像の普通色の部分を
上書き画像のメタリック色の部分を
するための
の画像
の画像
　【００１０】
　すなわち、本発明の写真撮影装置は、カメラで撮影された被写体の写真に多様な第２画像を印刷でき、利用者は、多様な写真を楽しむことができる。また、１台のプリンタ装置に第１記録ヘッドと第２記録ヘッドとを備えていることから、筐体の中に収容するプリンタ装置は１台でよいことから、プリンタ装置の収容場所も小さくてすむうえ、プリンタ装置自体も小型となって、筐体自体も小さくできる。また、従来のような２台のプリンタを連結する給紙機構も不要であることから、給紙ミスもほとんど生じることがなく、装置の停止や画像の印刷位置のずれる印刷不良もほとんど生じなくなる。
　【００１１】
　本発明の写真撮影装置において、上記第１記録ヘッドが、染料インクが展着された染料インクフィルムの上記染料インクを印刷媒体に付着させるものである場合には、染料シートの染料インクを印刷媒体に転写することにより写真画質等の印刷に適したものとなる。
　【００１２】
　本発明の写真撮影装置において、上記第２記録ヘッドが、顔料インクが展着された顔料インクフィルムの上記顔料インクを印刷媒体に付着させるものである場合には、顔料インクの顔料シートを印刷媒体に転写することにより、顔料による画像が鮮明に浮き上がり、装飾性の高いプリントを提供できる。
　【００１３】
　本発明の写真撮影装置において、上記顔料インクフィルムが顔料インクとしてメタリック系顔料が用いられたものである場合には、染料インクによる写真画質の画像とメタリック系顔料による画像との２種類の異なる画像をほぼ同時に印刷でき、メタリック系顔料によるキラキラ光った装飾性の高いプリントを得ることができる。
　【００１４】
　本発明の写真撮影装置において、上記顔料インクフィルムが顔料インクとしてラメ系顔料が用いられたものである場合には、染料インクによる写真画質の画像とラメ系顔料による画像との２種類の異なる画像をほぼ同時に印刷でき、ラメ系顔料によるキラキラ光った装飾性の高いプリントを得ることができる。
　【００１５】
　本発明の写真撮影装置において、上記顔料インクが金属膜である場合には、染料インクによる写真画質の画像と金属膜による画像との２種類の異なる画像をほぼ同時に印刷でき、金属膜によるキラキラ光った装飾性の高いプリントを得ることができる。
　【００１６】
　本発明の写真撮影装置において、上記顔料インクフィルムが上記メタリック系顔料，ラメ系顔料，金属膜の展着層の上に着色層を存在させたものである場合には、メタリック系顔料，ラメ系顔料，金属膜によるキラキラ光った印刷部分について、ピンクやイエロー等の所望の着色が施された印刷結果が得られ、より装飾性の高いプリントを得ることができる。
　【００１７】
　本発明の写真撮影装置において、上記第２記録ヘッドによる印刷の際に、印刷媒体の送り速度と顔料インクフィルムの送り速度を変えるように制御する制御手段を備えている場合には、顔料インクが印刷媒体上においてまばらになったり余ったりして密着し、ラメ風のキラキラしたプリントを得ることができる。この場合において、印刷媒体の送り速度が顔料インクフィルムの送り速度よりも速くなるよう制御する場合には、顔料インクが印刷媒体上においてまばらになって密着し、ラメ風のキラキラしたプリントを得ることができる。
　【００１８】
　本発明の写真撮影装置において、第１記録ヘッドで染料インクが付着された印刷媒体に、第２記録ヘッドで顔料インクを付着させるようになっている場合には、第１記録ヘッドで印刷された撮影画像の写真画像の上に、顔料による第２画像が印刷でき、顔料による画像が染料による写真画像の中で鮮明に浮き上がり、装飾性の高いプリントを提供できる。
　【００１９】
　本発明の写真撮影装置において、第２記録ヘッドで顔料インクが付着された印刷媒体に、第１記録ヘッドで染料インクを付着させるようになっている場合には、顔料インクによる画像の上には染料インクによる印刷が行なわれないことから、顔料による画像が染料による写真画像の中で鮮明に浮き上がり、装飾性の高いプリントを提供できる。
　【００２０】
　本発明の写真撮影装置において、上記顔料インクフィルムが上記メタリック系顔料，ラメ系顔料，金属膜の展着層の上に受容層を存在させたものであり、第２記録ヘッドで顔料インクが付着された印刷媒体に、第１記録ヘッドで染料インクを付着させるようになっている場合には、メタリック系顔料，ラメ系顔料，金属膜によるキラキラ光った印刷部分の上に、染料インクによるピンクやイエロー等の所望の着色が施された印刷結果が得られ、より装飾性の高いプリントを提供できる。
　【００２１】
　本発明の写真撮影装置において、上記第２画像が撮影画像に上書きされる上書き画像である場合には、上書き画像が写真画像の中で鮮明に浮き上がり、装飾性の高いプリントを提供できる。
　【００２２】
　本発明の写真撮影装置において、上記上書き画像をペン入力しうるペン入力部を備えている場合や、上記上書き画像として手書き画像を入力しうるようになっている場合には、被写体が自分の気に入った好みの上書き画像を手書き入力できるようになり、さらに楽しみが大きくなる。
　【００２３】
　また、本発明の画像プリント装置は、第１画像の画像信号に係る第１画像データを入力する第１画像データ入力部と、上記第１画像に合成される
上書き画像
上書き画像
上書き画像
および上書き画像の普通色の部分
上書き画像のメタリック色の部分
するための
の画像
の画像
　【００２４】
　すなわち、本発明の画像プリント装置は、第１画像データ入力部で入力された第１画像に多様な第２画像を印刷でき、利用者は、多様な装飾的画像を楽しむことができる。また、１台のプリンタ装置に第１記録ヘッドと第２記録ヘッドとを備えていることから、筐体の中に収容するプリンタ装置は１台でよいことから、プリンタ装置の収容場所も小さくてすむうえ、プリンタ自体も小型となって、筐体自体も小さくできる。また、従来のような２台のプリンタを連結する給紙機構も不要であることから、給紙ミスもほとんど生じることがなく、装置の停止や画像の印刷位置のずれる印刷不良もほとんど生じなくなる。
　【００２５】
　本発明の画像プリント装置において、
上書き画像
　【００２６】
　本発明の画像プリント装置において、複数の印刷手段を備えている場合には、同時に印刷可能とすることにより、例えば、大量に印刷される記念集合写真において待ち時間が少なくなる等の利点がある。
　【００２７】
　本発明の画像プリント装置において、複数の画像表示手段を備えている場合には、複数人数でも操作可能で、例えば、大人数の記念集合写真等の画像を入力して編集等する場合に有利である。
　【００２８】
　また、本発明の写真撮影方法は、写真撮影装置により被写体の写真を撮影して販売する写真撮影方法であって、被写体を撮影して撮影画像を電気的な画像信号にする撮影ステップと、上記撮影画像に対して合成される
上書き画像
上書き画像
および上書き画像の普通色の部分
上書き画像のメタリック色の部分
するための
の画像
の画像
　【００２９】
　また、本発明の画像プリント提供方法は、第１画像の画像信号に係る第１画像データを入力する第１画像データ入力ステップと、上記第１画像に合成される
上書き画像
上書き画像
上書き画像
および上書き画像の普通色の部分
上書き画像のメタリック色の部分
するための
の画像
の画像
　【００３０】
　すなわち、本発明の画像プリント提供方法は、第１画像データ入力ステップで入力された第１画像に多様な第２画像を印刷でき、利用者は、多様な装飾的画像を楽しむことができる。また、１台のプリンタ装置に第１記録ヘッドと第２記録ヘッドとを備えていることから、筐体の中に収容するプリンタ装置は１台でよいことから、プリンタ装置の収容場所も小さくてすむうえ、プリンタ自体も小型となって、筐体自体も小さくできる。また、従来のような２台のプリンタを連結する給紙機構も不要であることから、給紙ミスもほとんど生じることがなく、装置の停止や画像の印刷位置がずれる印刷不良もほとんど生じなくなる。
　【００３１】
　上記写真撮影装置，画像プリント装置に用いられるプリンタ装置は、第１画像および第２画像に係る電気的な画像信号が入力される画像信号入力部と、上記画像信号入力部に入力された第１画像信号を印刷媒体に印刷記録する第１記録ヘッドと、上記画像信号入力部に入力された第２画像信号を印刷媒体に印刷記録する第２記録ヘッドとを備え、上記第１記録ヘッドが写真画質の印刷に適当なものであり、上記第２記録ヘッドが顔料インクが展着された顔料インクフィルムの上記顔料インクを印刷媒体に付着させるようになっていることを要旨とする。
　【００３２】
　すなわち、上記のプリンタ装置は、第１記録ヘッドが写真画質の印刷に適当なものであり、第２記録ヘッドが顔料インクが展着された顔料インクフィルムの上記顔料インクを印刷媒体に付着させるため、染料インクによる写真画質の画像と顔料インクによる画像との２種類の異なる画像をほぼ同時に印刷できる。
　【００３３】
　上記プリンタ装置において、上記顔料インクフィルムが顔料インクとしてメタリック系顔料が用いられたものである場合には、染料インクによる写真画質の画像とメタリック系顔料による画像との２種類の異なる画像をほぼ同時に印刷でき、メタリック系顔料によるキラキラ光った装飾性の高い印刷を行なうことができる。
　【００３４】
　上記プリンタ装置において、上記顔料インクフィルムが顔料インクとしてラメ系顔料が用いられたものである場合には、染料インクによる写真画質の画像とラメ系顔料による画像との２種類の異なる画像をほぼ同時に印刷でき、ラメ系顔料によるキラキラ光った装飾性の高い印刷を行なうことができる。
　【００３５】
　上記プリンタ装置において、上記顔料インクが金属膜である場合には、染料インクによる写真画質の画像と金属膜による画像との２種類の異なる画像をほぼ同時に印刷でき、金属膜によるキラキラ光った装飾性の高い印刷を行なうことができる。
　【００３６】
　上記プリンタ装置において、上記顔料インクフィルムが上記メタリック系顔料，ラメ系顔料，金属膜の展着層の上に着色層を存在させたものである場合には、メタリック系顔料，ラメ系顔料，金属膜によるキラキラ光った印刷部分について、ピンクやイエロー等の所望の着色が施された印刷結果が得られ、より装飾性の高い印刷を実現することができる。
　【００３７】
　上記プリンタ装置において、上記第２記録ヘッドによる印刷の際に、印刷媒体の送り速度と顔料インクフィルムの送り速度を変えるように制御する制御手段を備えている場合には、顔料インクが印刷媒体上においてまばらになったり余ったりして密着し、ラメ風のキラキラした印刷結果を得ることができる。
　【００３８】
　上記プリンタ装置において、印刷媒体の送り速度が顔料インクフィルムの送り速度よりも速くなるよう制御する場合には、顔料インクが印刷媒体上においてまばらになって密着し、ラメ風のキラキラした印刷結果を得ることができる。
　【００３９】
　上記プリンタ装置において、上記第１記録ヘッドが、染料インクが展着された染料インクフィルムの上記染料インクを印刷媒体に付着させるものである場合や、第１記録ヘッドで染料インクが付着された印刷媒体に、第２記録ヘッドで顔料インクを付着させるようになっている場合には、第１記録ヘッドで印刷された写真画質の画像の上に、顔料による画像が印刷でき、顔料による画像が染料による写真画像の中で鮮明に浮き上がり、装飾性の高いプリントを提供できる。
　【００４０】
　上記プリンタ装置において、第２記録ヘッドで顔料インクが付着された印刷媒体に、第１記録ヘッドで染料インクを付着させるようになっている場合には、顔料インクによる画像の上には染料インクによる印刷が行なわれないことから、顔料による画像が染料による写真画質の画像の中で鮮明に浮き上がり、装飾性の高いプリントを提供できる。
　【００４１】
　上記プリンタ装置において、上記顔料インクフイルムが上記メタリック系顔料，ラメ系顔料，金属膜の展着層の上に受容層を存在させたものであり、第２記録ヘッドで顔料インクが付着された印刷媒体に、第１記録ヘッドで染料インクを付着させるようになっている場合には、メタリック系顔料，ラメ系顔料，金属膜によるキラキラ光った印刷部分の上に、染料インクによるピンクやイエロー等の所望の着色が施された印刷結果が得られ、より装飾性の高い印刷を実現することができる。
　【００４２】
　上記プリンタ装置に用いられるインクフィルムは、基材フィルムに顔料インクが展着され、上記顔料インクの展着層の上に受容層を存在させたことを要旨とする。これにより、顔料インクによる印刷部分の上に、染料インクによるピンクやイエロー等の所望の着色が施された印刷を行なうことができ、より装飾性の高い印刷に適している。
　【００４３】
　上記インクフィルムにおいて、上記顔料インクが、メタリック系顔料，ラメ系顔料，金属膜のうち少なくともいずれかである場合には、メタリック系顔料，ラメ系顔料，金属膜によるキラキラ光った装飾性の高いプリントを得ることができる。
　【００４４】
　【発明の実施の形態】
　つぎに、本発明の実施の形態を詳しく説明する。
　【００４５】
　図１は、本発明の写真撮影装置の一実施の形態を示す図である。この写真撮影装置は、筐体１の内部および表面に各種の装置が設けられている。ここで、説明の便宜上、筐体１において、使用者（被写体）２と対面する側（図１の左側）を筐体１の前側とし、反対側（図１の右側）を筐体１の後側とする。
　【００４６】
　上記筐体１の内部空間には、被写体２を撮影するカメラ６と、上記カメラ６から画像信号を受信して画像の合成等を行うコンピュータ装置７と、このコンピュータ装置７から送信された合成画像等の画像信号を受信して画像を表示するディスプレイ８とが設けられている。
　【００４７】
　上記筐体１のカメラ６の前側に対応する部分には、ガラス・プラスチック等の透明板１４が嵌めこまれている。また、上記ディスプレイ８は、被写体２に向かって斜め上向きに配設され、ディスプレイ８に表示された画像が使用者２によって目視されるようになっている。
　【００４８】
　さらに、上記筐体１の前面には、操作部１６が設けられている。この操作部１６は、使用者２が各種の操作を行なうボタン・レバー等を有し、コンピュータ装置７に操作信号を送信する。
　【００４９】
　また、上記操作部１６には、タッチペン１２が備えられている。このタッチペン１２は、その先端をディスプレイ（例えば、ＬＣＤタブレット，タッチパネル等が用いられる）８の表面に接触させ、文字や図形等を描くことにより画像を手書き入力等できるようになっている。そして、上記手書き入力された文字・図形等の画像データがディスプレイ８に表示され、印刷媒体１５に印刷される。
　【００５０】
　この例において、使用者２がディスプレイ８から見る合成画像は、コンピュータ装置７に予め記憶された記憶画像（所望のフレームや前景等、以下「フレーム画像」という）に、カメラ６による被写体２の撮影画像が合成されたものである。そして、被写体２による操作部１６の操作によって合成画像が停止され、合成画像の停止後、タッチペン１２による手書き画像やスタンプ画像が入力されると、この入力画像が上記合成画像にさらに合成された画像が表示されるようになっている。
　【００５１】
　また、上記筐体１の内部空間には、コンピュータ装置７から送信された合成画像の信号を受信し、この合成画像を印刷媒体１５に印刷して写真プリントを生成するプリンタ９が設けられている。上記プリンタ９で画像が印刷された印刷媒体１５は、筐体１前面に形成された送出口１９から送出されるようになっている。
　【００５２】
　そして、上記プリンタ９は、後述するように、主として上記カメラ６で撮影された撮影画像を印刷媒体１５に記録する第１記録ヘッド４３（図４参照）と、上記タッチペン１２で入力されたペン入力による上書き画像を印刷媒体１５に印刷する第２記録ヘッド４５（図４参照）とを有している。そして、上記第１記録ヘッド４３で撮影画像が印刷された印刷媒体１５に、第２記録ヘッド４５により上書き画像が印刷されるようになっている。
　【００５３】
　上記タッチペン１２による上書き画像は、後述するように、手書き画像やスタンプ画像を含む。そして、上記手書き画像やスタンプ画像は、染料インクによる普通色の画像と、顔料インクによる金・銀等のメタリック色の画像とを含み、普通色の画像は第１記録ヘッド４３で記録され、メタリック色の画像は第２記録ヘッド４５で記録されるようになっている。
　【００５４】
　また、筐体１の前面には、コイン投入口（図示せず）が設けられ、筐体１内部のコイン投入口に隣接した位置に、投入したコインを検出してコンピュータ装置７に検出信号を送信するコイン検出部１７（図２参照）が設けられている。また、筐体１前面の適所には、コンピュータ装置７から音声信号を受信して音声出力するスピーカ１８（図２参照）、被写体２を照射するライト（図示せず）が設けられている。
　【００５５】
　そして、上記被写体２の背後には、外部からの光を遮断するカーテン３が配設されている。このカーテン３は、筐体１の前面の上部および下部から突出された支持フレーム４，５によって支持される。上記カーテン３の内面には、画像の合成手法に応じた色彩が施される。例えば、クロマキー合成であれば、カーテン３の内面全体に緑，青等のクロマキー合成に適当な色の着色が施される。
　【００５６】
　つぎに、上記コンピュータ装置７のシステム構成について詳しく説明する。
　【００５７】
　図２に示すように、上記コンピュータ装置７は、画像の合成を行なう画像合成手段３０と、カメラ６による撮影や画像の合成等の制御を行なう撮影・合成制御部３１とを備えている。上記撮影・合成制御部３１は、コイン検出部１７からの検出信号を受信することにより、撮影や画像合成等の制御を開始するようになっている。
　【００５８】
　また、上記コンピュータ装置７には、所定のフレーム画像を格納するフレーム画像メモリ３３が設けられている。一方、上記ディスプレイ８には、タッチペン１２によって手書き画像等がペン入力されるペン入力部３５と、合成画像を表示する表示部３６とが設けられている。
　【００５９】
　そして、上記画像合成手段３０は、カメラ６による撮影画像とフレーム画像メモリ３３に格納されたフレーム画像とを合成してディスプレイ８の表示部３６に表示するようになっている。また、上記画像合成手段３０は、上記被写体２による操作部１６の操作により上記合成画像を固定し、この固定された静止画像に、タッチペン１２によってディスプレイ８のペン入力部３５に入力された文字や図形等の手書き画像等を合成するようになっている。
　【００６０】
　上記画像合成手段３０で合成された合成画像（撮影画像とフレーム画像との合成画像ならびに静止画像と
上書き画像
　【００６１】
　さらに、上記コンピュータ装置７には、スピーカ１８から音声を出力させる音声出力回路３２が設けられている。また、上記コンピュータ装置７は、上記プリンタ９による印刷を制御する印刷制御部３４を備えている。
　【００６２】
　ここで、カメラ６で撮影された被写体２の撮影画像Ａと、フレーム画像Ｂ、ならびにタッチペン１２で入力された
上書き画像
　【００６３】
　すなわち、図３に示すように、ディスプレイ８の表示部３６には、第１および第２画層２３，２４の２つの画層が重なった状態で合成画像が表示される。そして、画像合成手段３０には、上記第１および第２画層２３，２４にそれぞれ対応する第１および第２画層メモリ２１，２２が設けられている。
　【００６４】
　上記第１画層メモリ２１には、カメラ６で撮影された被写体２の撮影画像Ａ，フレーム画像メモリ３３に格納されていたフレーム画像Ｂが合成されて格納される。また、タッチペン１２で入力された
上書き画像
上書き画像
　【００６５】
　そして、第１画層メモリ２１に格納された被写体２の撮影画像Ａとフレーム画像Ｂおよびタッチペン１２での
上書き画像
上書き画像
　【００６６】
　一方、上記第１画層メモリ２１に格納された合成画像（いずれも普通色の画像である）の画像データＡ＋Ｂ＋Ｃ１と、第２画層メモリ２２に格納されたタッチペン１２での
上書き画像
　【００６７】
　なお、上記実施の形態において、タッチペン１２でのペン入力
するための
　【００６８】
　ここで、上記プリンタ９について詳しく説明する。
　【００６９】
　上記プリンタ９は、図４に示すように、第１記録ヘッド４３と第２記録ヘッド４５との２つの記録ヘッドを備えている。
　【００７０】
　上記第１記録ヘッド４３は、イエロー，シアン，マゼンタの３色の昇華性の染料インクが展着された染料インクフィルム４４の上記染料インクを上記第１記録ヘッド４３の熱により印刷媒体１５に吸着させる昇華型の記録ヘッドである。また、上記染料インクフィルム４４には、染料インク以外に透明樹脂によって染料インクをコーティングするオーバーコートも設けられており、第１記録ヘッド４３において、上記オーバーコートも施される。このオーバーコートの存在により、後述する顔料インクの密着性が良好になるのである。
　【００７１】
　したがって、この例において、上記印刷媒体１５としては、表面に受容層として適当な樹脂がコーティングされた受容紙を用いることが望ましい。
　【００７２】
　上記第２記録ヘッド４５は、金・銀のメタリック色の顔料インクが展着された顔料インクフィルム４６の上記顔料インクを上記第２記録ヘッド４５の熱により印刷媒体１５に転写して吸着させる溶融型の記録ヘッドである。
　【００７３】
　ここで、上記第２記録ヘッド４５で上書き画像を印刷する際に用いるインクとしては、写真画質の画像上に印刷された上書き画像が鮮明に浮かび上がる不透明の顔料インクが好適に用いられる。
　【００７４】
　上記顔料インクに用いられる顔料としては、特に限定するものではなく、各種のものが使用される。例えば、アゾ顔料，フタロシアニン，縮合多環顔料等の各種有機顔料や、酸化チタンや亜鉛華等の各種酸化物，アルミナホワイト等の各種水酸化物，カドミウムエロー等の各種硫化物をはじめ、クロム酸，硫酸塩，炭酸塩，珪酸塩，燐酸塩，砒酸塩，フェロシアン化物，炭素，金属粉等の各種無機顔料等があげられる。
　【００７５】
　これらのなかでも、特に、ブロンズ粉やアルミニウム粉等を用いた金色，銀色等のメタリック顔料インクが、上書き画像がキラキラ光る装飾的な効果が高く、好適に用いられる。上記メタリック色の印刷にあたっては、アルミニウム等の金属が蒸着されたフィルムをインクリボンとして用いることもできる。本発明の顔料インクは、このような態様も含む趣旨である。また、各種蛍光顔料，パール顔料，蓄光顔料，示温顔料等も装飾的に優れているため、好適に用いられる。
　【００７６】
　また、上記プリンタ９は、上記第１画層メモリ２１および第２画層メモリ２２から画像データが入力される画像信号入力部４０と、上記画像信号入力部４０に入力された画像データを一時的に蓄えるバッファメモリ４１と、上記バッファメモリ４１に蓄えられた画像データを受信して上記第１および第２記録ヘッド４３，４５の駆動ならびに制御を行なうヘッド制御手段４２とを備えている。
　【００７７】
　上記バッファメモリ４１は、上記第１画層メモリ２１に格納された被写体２の撮影画像Ａとフレーム画像Ｂおよびタッチペン１２での
上書き画像
上書き画像
　【００７８】
　また、上記ヘッド制御手段４２は、第１バッファ４１Ａに蓄えられた被写体２の撮影画像Ａとフレーム画像Ｂおよびタッチペン１２での
上書き画像
上書き画像
　【００７９】
　図４において、４７は印刷媒体１５を送ったり一時的に位置決めするロールである。また、この例では、印刷媒体１５として、あらかじめ一定の寸法に切断されたカット紙が用いられ、上記カット紙を１枚ずつ両記録ヘッド４３，４５に供給するようになっている。
　【００８０】
　この例では、上記プリンタ９の寸法は、印刷媒体１５の収容空間を含めても、奥行き約５０ｃｍ程度、幅約３０ｃｍ程度、高さ約３２ｃｍ程度の寸法に収まっており、極めて小型である。
　【００８１】
　上記プリンタ９により、撮影画像と
上書き画像
上書き画像
上書き画像
　【００８２】
　つぎに、上記写真撮影装置の動作について、図５に示すフローチャートをもとに説明する。なお、図において「Ｓ」は、ステップを意味する。
　【００８３】
　まず、使用者２がコインを投入すると、フレーム画像メモリ３３に格納されたフレーム画像をディスプレイ８の表示部３６に表示して、ディスプレイ８上の画像およびスピーカ１８からの音声により使用者２に所望のフレーム画像の選択を支持する。なお、ここで選択されるフレーム画像は、ひとつでもよいし、ふたつ以上でも差し支えない。
　【００８４】
　使用者２が所望のフレーム画像を選択すると（Ｓ１）、カメラ６による被写体２の撮影が開始される（Ｓ２）。ついで、画像合成手段３０により、カメラ６による撮影画像Ａとフレーム画像Ｂとが合成され、ディスプレイ８の表示部３６に合成画像が表示される（Ｓ３）。
　【００８５】
　そして、使用者２がディスプレイ８の表示画像を見ながら被写体２の位置調整を完了した後に、操作部１６の調整完了ボタンを押すと、使用者２にポーズをとるよう指示され、それから所定時間後に画像合成手段３０により合成画像が固定される（Ｓ４）。このとき、ディスプレイ８には、そのときの合成画像が静止画像として表示される。
　【００８６】
　つぎに、使用者２に上記静止画像のプレビューの確認を促し、使用者２が撮りなおしを希望する場合は、ステップ２に戻り、新たに撮影が開始される。一方、使用者２が撮りなおしを希望しない場合は、使用者２にタッチペン１２によるペン入力を促すよう指示する。
　【００８７】
　このとき、まず、メタリック色以外の普通色のペン入力が指示され、使用者２は、タッチペン１２の先端をディスプレイ８表面のペン入力部３５に接触させて所望の文字や図形等の画像を入力する（Ｓ６）。例えば、図６に示すように、ディスプレイ８に表示されたペンのアイコン２５Ａをタップしてから、静止画像の上にタッチペン１２の先端で好みの文字等を入力することにより、手書きの文字等が上記静止画像に合成され、ディスプレイ８に表示される。そして、入力された普通色の文字等の画像データＣ１は、第１画層メモリ２１に格納され、第１画層２３に表示される（図３参照）。
　【００８８】
　普通色でのペン入力が終了すると、使用者２に、メタリック色でのペン入力を促すよう指示するとともに、第１画層メモリ２１の画像データがプリンタ９に送られ、第１記録ヘッド４３による普通色の写真の印刷が開始される（Ｓ７）。
　【００８９】
　一方、使用者２は、タッチペンによるメタリック色のペン入力を行い（Ｓ８）、メタリック色の手書きの文字等が上記静止画像に合成され、ディスプレイ８に表示される。
　【００９０】
　このメタリック色のペン入力は、例えば、金色のペンのアイコン２５Ｂや銀色のペンのアイコン２５Ｃをタップしてからディスプレイ８の表面に手書きで文字等を描くことにより行われる。また、星マークのアイコン２６やハートマークのアイコン２７をタップして星マークやハートマーク等のスタンプ画像を静止画像の任意の位置に配置することもできる。そして、入力されたメタリック色の文字等の画像データＣ２は、第２画層メモリ２２に格納され、第２画層２４に表示される（図３参照）。
　【００９１】
　そして、メタリック色のペン入力が終了すると、第２画層メモリ２２の画像データがプリンタ９に送られ、上記第１記録ヘッド４３による印刷が終了したのち、印刷された写真が第２記録ヘッド４５まで送られ、第２記録ヘッド４５によるメタリック色の上書き画像の印刷が開始される（Ｓ９）。そして、被写体２の撮影画像Ａとフレーム画像Ｂおよび普通色の
上書き画像
上書き画像
　【００９２】
　このように、上記写真撮影装置によれば、カメラ６で撮影された被写体２の写真に多様な上書き画像を印刷でき、利用者２は、多様な写真を楽しむことができる。また、１台のプリンタ９に第１記録ヘッド４３と第２記録ヘッド４５とを備えていることから、筐体１の中に収容するプリンタ９は１台でよく、プリンタ９の収容場所も小さくてすみ、筐体１自体も小さくできる。また、従来のような２台のプリンタを連結する給紙機構も不要であることから、給紙ミスもほとんど生じることがなく、装置の停止や画像の印刷位置のずれる印刷不良もほとんど生じなくなる。
　【００９３】
　また、上記写真撮影装置は、ディスプレイ８に、カメラ６で撮影された被写体２の画像と上書き画像との合成画像が表示されるようになっているため、被写体２が、ディスプレイ８に表示される自分の画像を見て仕上がり状態を確認しながら、ポーズをとったり好みの上書き画像を入力できる。
　【００９４】
　また、上記プリンタ９によれば、上記写真撮影装置が容易に得られ、染料インクによる写真画質の画像と顔料インクによる画像との２種類の異なる画像をほぼ同時に印刷できる。
　【００９５】
　なお、上記実施の形態では、第１記録ヘッド４３として昇華型の記録ヘッドを用い、第２記録ヘッド４５として溶融型の記録ヘッドを用いた例を示したが、第１および第２記録ヘッド４３，４５としては、特に限定するものではなく、インクジェット型記録ヘッドや感熱式記録ヘッド等を用いることも可能である。
　【００９６】
　また、上記実施の形態では、印刷媒体１５としてカット紙を用いた例を示したが、これに限定するものではなく、ロール状に巻き取られたロール紙を引き出して順次供給し、印刷のたびに必要長さに切断するようにしてもよい。
　【００９７】
　さらに、上記実施の形態では、第１記録ヘッド４３で染料インクによる普通色の印刷を行い、その後に第２記録ヘッド４５で顔料インクによるメタリック色の印刷を行なうようにしたが、これに限定するものではない。すなわち、使用するインクリボンにより、第１記録ヘッド４３において顔料インクによるメタリック色の印刷も染料インクによる普通色の印刷もでき、第２記録ヘッド４５において顔料インクによるメタリック色の印刷も染料インクによる普通色の印刷もできる。したがって、第２記録ヘッド４５で顔料インクによるメタリック色の印刷を行い、その後に第１記録ヘッド４３で染料インクによる普通色の印刷を行なうようにすることも可能である。
　【００９８】
　さらに、上記実施の形態では、第１記録ヘッド４３として昇華型の記録ヘッドを用い、第２記録ヘッド４５として溶融型の記録ヘッドを用いた例を示したが、第１記録ヘッド４３と第２記録ヘッド４５を同じタイプの記録ヘッドとしても差し支えない。この場合、第１記録ヘッド４３に用いるインクフィルムと第２記録ヘッド４５に用いるインクフィルムを交換して印刷を行なうことが可能となる。
　【００９９】
　このようにすることにより、先に染料インクによる写真画質の印刷を行なってから顔料インクの印刷を行なうか、先に顔料インクの印刷を行なってから染料インクによる写真画質の印刷を行なうかを、インクフィルムの交換により実現することが可能となる。また、第１記録ヘッド４３で使用するインクフィルムと第２記録ヘッド４５で使用するインクフィルムとの組合せにより、さまざまな印刷表現が可能になる。
　【０１００】
　また、上記実施の形態では、タッチペンによる普通色の上書き画像の入力後、メタリック色の上書き画像の入力の終了を待たずに第１記録ヘッド４３による印刷を開始するようにしたが、これに限定するものではなく、タッチペンによる普通色の上書き画像の入力後、メタリック色の上書き画像の入力が終了してから第１および第２記録ヘッド４３，４５による印刷を開始するようにしてもよい。
　【０１０１】
　また、上記カメラ６としては、デジタルカメラを用いることもできるし、ビデオカメラを用いることもでき、特に限定するものではない。また、上記実施の形態において、印刷媒体１５としては、染料インクおよび顔料インクが吸着しうるものであれば、特に限定するものではなく、例えば、紙類，シール，プラスチックフィルム，カード類，布，不織布，ガラス板，樹脂板等各種のものを用いることができる。
　【０１０２】
　さらに、上記実施の形態では、１台のカメラ６を備えた例を示したが、これに限定するものではなく、複数台のカメラ６を備えるようにしても差し支えない。
　【０１０３】
　図７（ａ）は、本発明に用いる顔料インクフィルム４６の一例を示す断面図である。この顔料インクフィルム４６は、基材フィルム６０の下面に剥離層６１を介して金属蒸着膜６２が展着されている。上記金属蒸着膜６２の下面には、粘着層６３が形成されている。
　【０１０４】
　上記顔料インクフィルム４６を用いて印刷する際には、粘着層６３の側を印刷媒体１５に対面させ、基材フィルム６０の上面側を第２記録ヘッド４５によって加熱する。このとき加熱された部分の粘着層６３が印刷媒体１５に粘着するとともに、金属蒸着膜６２が剥離層６１を境に基材フィルム６０から剥離し、金属蒸着膜６２が印刷媒体１５の表面に付着もしくは吸着する。
　【０１０５】
　したがって、染料インクフィルム４４で写真画質の印刷を行なったのち、上記顔料インクフィルム４６で印刷を行なうことにより、金属蒸着膜６２によりキラキラ光る画像が上書きされた写真プリントを得ることができる。
　【０１０６】
　一方、印刷媒体１５の表面に金属蒸着膜６２が付着すると、その上には染料インクが付着もしくは吸着しにくくなる。このため、あらかじめ上記顔料インクフィルム４６で金属蒸着膜６２を表面に付着もしくは吸着させた印刷媒体１５に染料インクフィルム４４で写真画質の印刷を行なうことにより、金属蒸着膜６２によりキラキラ光る画像が浮かび上がった写真プリントを得ることができる。
　【０１０７】
　図７（ｂ）は、本発明に用いる顔料インクフィルム４６の他の例を示す断面図である。この顔料インクフィルム４６は、基材フィルム６０の下面に剥離層６１を介して透明インクによる着色層６４が形成され、この着色層６４の下面に金属蒸着膜６２が展着されている。上記金属蒸着膜６２の下面には、粘着層６３が形成されている。
　【０１０８】
　この顔料インクフィルム４６を用いることにより、金属蒸着膜６２等によるキラキラ光った印刷部分の上にピンクやイエロー等の所望の着色が施された着色メタリックの上書き画像等を印刷することができるようになる。
　【０１０９】
　また、この例において、上記着色層６４のかわりに、受容層を形成させることもできる。このようにすることにより、金属蒸着膜６２等によるキラキラ光った印刷部分の上に、染料インクによるピンクやイエロー等の所望の着色を施すことが可能となる。
　【０１１０】
　図８は、本発明のプリンタ装置の第２の実施の形態を示す。この例は、図７（ａ）で例示した顔料インクフィルム４６を使用したもので、上記顔料インクフィルム４６は、基材フィルム６０の下面に金属蒸着膜６２が展着されたものである（剥離層６１および粘着層６３は図示していない）。そして、上述したように、第２記録ヘッド４５により金属蒸着膜６２を印刷媒体１５の表面に熱転写することが行なわれる。
　【０１１１】
　このプリンタ装置では、第２記録ヘッド４５によって金属蒸着膜６２を印刷媒体１５の表面に熱転写を行なう際に、通常の印刷では顔料インクフィルム４６と印刷媒体１５の送り速度を略同一に設定するところ、印刷媒体１５の送り速度と顔料インクフィルム４６の送り速度を変えるように制御するようになっている。このようにすることにより、金属蒸着膜６２が印刷媒体１５上においてまばらになったり余ってしわになりながら密着し、ラメ風のキラキラした印刷結果を得ることができる。
　【０１１２】
　この場合、印刷媒体１５の送り速度が顔料インクフィルム４６の送り速度よりも速くなるよう制御するのが好ましい。このようにすることにより、金属蒸着膜６２が印刷媒体１５上においてまばらになって密着し、ラメ風のキラキラした印刷結果を得ることができる。
　【０１１３】
　なお、上述した各例において、金属蒸着膜６２のかわりに金属箔を用いることもできる。また、上記金属蒸着膜６２のかわりに、光が乱反射するようアルミ粉，アルミニウム等の金属箔片，ホログラムフィルム片，ガラス粉，金属蒸着フィルム片等が含有されたラメ系顔料層を展着させるようにしてもよい。このようなラメ系顔料層を用いることにより、ラメ状の印刷が可能になる。
　【０１１４】
　また、上記金属蒸着膜６２のかわりに、金ホログラム，銀ホログラム，着色ホログラム，透明ホログラム等に代表されるようなホログラムフィルムを用いることもできるし、レインボーシートや油膜シート，虹色フィルム等のような特殊な視覚的効果を有するフィルムを用いることもできる。すなわち、本発明における顔料インクとは、これらの多様な態様のものを含む趣旨である。
　【０１１５】
　図９は、本発明の画像プリント装置の一実施の形態を示す。
　【０１１６】
　この画像プリント装置は、写真画像等の第１画像の画像信号に係る画像データを入力する画像データ入力部と、上記写真画像等の第１画像に合成される手書き画像等の第２画像を入力する２つのタッチペン１２と、写真画像や手書き画像等の画像を表示する２つのディスプレイ８と、上記写真画像および手書き画像等を印刷媒体１５に印刷する２つのプリンタ９とを備えている。そして、上記プリンタ９として、上述した第１および第２記録ヘッド４３，４５を備えたプリンタ装置が用いられている。
　【０１１７】
　上記画像プリント装置は、写真画像等の第１画像を入力する画像データ入力部として、メモリスティック，フロッピーディスク，ＣＤ−Ｒ，ＤＶＤ，ＰＤ，ＭＯ，スマートメディア，コンパクトフラッシュ，ＳＤカード等の記録媒体７２から画像データを読み取る読み書き装置７１を備えている。
　【０１１８】
　また、上記画像データ入力部として、デジタルカメラ，ビデオカメラ，携帯電話，ＰＤＡ，パソコン，スキャナ等の端末装置を接続して上記端末装置に格納されている画像データを入力するインターフェース端子７０を備えている。上記インターフェース端子７０としては、例えば、ＵＳＢ，ＲＳ−２３２Ｃ，パラレル，ＩＥＥＥ１３９４，ＳＣＳＩ等の各種の規格を適用することができる。また、赤外線通信（ＩｒＤＡ）やＢｌｕｅｔｏｏｔｈ等の無線インターフェースを適用することも可能である。
　【０１１９】
　また、上記画像データ入力部として、Ｅｔｈｅｒｎｅｔ規格のケーブル端子を設け、ＬＡＮやＷＡＮ等のネットワーク７３経由で画像データを入力するようにすることもできる。
　【０１２０】
　上記画像プリント装置は、図２に示すものと同様に画像合成手段，制御部，印刷制御部等を有するコンピュータ装置７を備えている。上記コンピュータ装置７は画像編集手段を備え、画像データ入力手段に入力された写真画像等の画像データの加工や編集を行ないうるようになっている。上記加工や編集としては、例えば、画像サイズや解像度の変更，明るさ・コントラスト・レベルの補正，トリミング，拡大，縮小，変形，削除等があげられる。これらの加工や編集は、画像全体に行なうこともできるし、画像のある領域を選択して行なうこともできる。
　【０１２１】
　加工や編集の作業は、例えば、つぎのようにして行なうことができる。、まず、コンピュータ装置７に読み取られた複数の画像データをディスプレイ８に一覧表示し、編集対象となる画像をタッチペン１２で選択する。選択された画像は２つのディスプレイ８のうち少なくとも１つに表示され、タッチペン１２の操作により加工や編集が行なわれる。加工された画像の画像データは、記録媒体７２に上書き保存することもできるし、コンピュータ装置７の格納部に格納することもできる。
　【０１２２】
　上記画像プリント装置は、加工・編集前の元画像や加工・編集後の画像に対してタッチペン１２により手書き画像やスタンプ画像を入力し、画像合成を行なうようになっている。合成画像はディスプレイ８に表示され、コンピュータ装置７にあらかじめ格納されているフレーム画像や背景画像等と合成することもできる。合成画像の画像データは、記録媒体７２に上書き保存することもできるし、コンピュータ装置７の格納部に格納することもできる。
　【０１２３】
　上記画像プリント装置では、元画像，編集画像，合成画像等の中から、タッチペン１２により印刷対象となる画像を選択してプリント出力できるようになっている。印刷対象画像は１枚または２枚以上選択可能で、印刷レイアウトや印刷部数の設定を行ないうるようになっている。
　【０１２４】
　上記画像プリント装置は、ディスプレイ８およびタッチペン１２をそれぞれ複数（この例では２つ）備えていることから、１人でも効率的に操作でき、複数人数でも操作することが可能で、例えば、大人数の記念集合写真等の画像を入力して編集等する場合に有利である。
　【０１２５】
　また、上記画像プリント装置は、プリンタ９を複数（この例では２つ）備えていることから、２台のプリンタ９で同時に印刷可能とすることにより、例えば、大量に印刷される記念集合写真において待ち時間が少なくなる等の利点がある。
　【０１２６】
　そして、本発明のプリンタ，画像プリント装置，写真撮影装置は、例えば、ＤＰＥショップ．冠婚葬祭会場，イベント会場，観光地等において用いることができる。そして、本発明の画像プリント提供方法は、上記のようなさまざまな場所で行なうことができ、装飾性の高い写真プリントを提供することができる。
　【０１２７】
　【発明の効果】
　以上のように、本発明の写真撮影装置および方法によれば、カメラで撮影された被写体の写真に多様な第２画像を印刷でき、利用者は、多様な写真を楽しむことができる。また、１台のプリンタ装置に第１記録ヘッドと第２記録ヘッドとを備えていることから、筐体の中に収容するプリンタ装置は１台でよいことから、プリンタ装置の収容場所も小さくてすむうえ、プリンタ装置自体も小型となって、筐体自体も小さくできる。また、従来のような２台のプリンタを連結する給紙機構も不要であることから、給紙ミスもほとんど生じることがなく、装置の停止や画像の印刷位置のずれる印刷不良もほとんど生じなくなる。
　【０１２８】
　さらに、本発明の画像プリント装置によれば、第１画像データ入力部で入力された第１画像に多様な第２画像を印刷でき、利用者は、多様な装飾的画像を楽しむことができる。また、１台のプリンタ装置に第１記録ヘッドと第２記録ヘッドとを備えていることから、筐体の中に収容するプリンタ装置は１台でよいことから、プリンタ装置の収容場所も小さくてすむうえ、プリンタ自体も小型となって、筐体自体も小さくできる。また、従来のような２台のプリンタを連結する給紙機構も不要であることから、給紙ミスもほとんど生じることがなく、装置の停止や画像の印刷位置のずれる印刷不良もほとんど生じなくなる。
　【０１２９】
　また、本発明の画像プリント提供方法によれば、第１画像データ入力ステップで入力された第１画像に多様な第２画像を印刷でき、利用者は、多様な装飾的画像を楽しむことができる。また、１台のプリンタ装置に第１記録ヘッドと第２記録ヘッドとを備えていることから、筐体の中に収容するプリンタ装置は１台でよいことから、プリンタ装置の収容場所も小さくてすむうえ、プリンタ自体も小型となって、筐体自体も小さくできる。また、従来のような２台のプリンタを連結する給紙機構も不要であることから、給紙ミスもほとんど生じることがなく、装置の停止や画像の印刷位置のずれる印刷不良もほとんど生じなくなる。
【図面の簡単な説明】
　【図１】
　本発明の写真撮影装置の一実施の形態を示す縦断面図である。
　【図２】
　上記写真撮影装置のシステム構成図である。
　【図３】
　ディスプレイと画像合成手段と第１および第２プリンタとのデータ転送状態を示す説明図である。
　【図４】
　上記プリンタの一実施の形態を示す構成説明図である。
　【図５】
　上記写真撮影装置の動作を説明するフローチャート図である。
　【図６】
　タッチペンで入力する状態を説明する図である。
　【図７】
　本発明に用いる顔料インクフィルムの一例を示す断面図である。
　【図８】
　本発明における顔料インクフィルムと印刷媒体の送りの関係を示す図である。
　【図９】
　本発明の画像プリント装置を示す斜視図である。
　【図１０】
　従来の写真撮影装置を示す説明図である。
　【符号の説明】
　　１　　筐体
　　２　　被写体（使用者）
　　３　　カーテン
　　４　　支持フレーム
　　５　　支持フレーム
　　６　　カメラ
　　７　　コンピュータ装置
　　８　　ディスプレイ
　　９　　プリンタ
　１２　　タッチペン
　１４　　透明板
　１５　　印刷媒体
　１６　　操作部
　１７　　コイン検出部
　１８　　スピーカ
　１９　　送出口
　２１　　第１画層メモリ
　２２　　第２画層メモリ
　２３　　第１画層
　２４　　第２画層
　２５Ａ　アイコン
　２５Ｂ　アイコン
　２５Ｃ　アイコン
　２６　　アイコン
　２７　　アイコン
　３０　　画像合成手段
　３１　　撮影・合成制御部
　３２　　音声出力回路
　３３　　フレーム画像メモリ
　３４　　印刷制御部
　３５　　ペン入力部
　３６　　表示部
　４０　　画像信号入力部
　４１　　バッファメモリ
　４１Ａ　第１バッファ
　４１Ｂ　第２バッファ
　４２　　ヘッド制御手段
　４２Ａ　第１ヘッド制御部
　４２Ｂ　第２ヘッド制御部
　４３　　第１記録ヘッド
　４４　　染料インクフィルム
　４５　　第２記録ヘッド
　４６　　顔料インクフィルム
　４７　　ロール
　５１　　コントローラ
　５２　　本体
　５３　　ハーフミラー
　５４　　被写体
　５５　　カメラ
　５６　　モニタ
　５７　　プリンタ
　５８　　写真プリント
　６０　　基材フィルム
　６１　　剥離層
　６２　　金属蒸着膜
　６３　　粘着層
　６４　　着色層
　７０　　インターフェース端子
　７１　　読み書き装置
　７２　　記録媒体
　７３　　ネットワーク